(57)【要約】【課題】下容器と上容器が多少位置ズレしても、下容器に上容器を被せた状態に容易に結合することができ、包装物を収容してパックする際の作業性が向上する包装用容器を提供する。【解決手段】上容器２と下容器１とをヒンジ部３で開閉自在に連結した包装用容器に関する。下容器１の外周上端縁に全周に亘って嵌合受け部６を形成し、嵌合受け部６の内周面を外方へ向けて斜め上方に傾斜する傾斜面６ａに形成すると共にこの傾斜面６ａに内方へ突出する係合受け突部７を設ける。上容器２の外周下端縁に全周に亘って嵌合部８を形成し、嵌合部８の外周面を外方へ向けて斜め上方に傾斜する傾斜面８ａに形成すると共にこの傾斜面８ａに外方へ突出する係合突部９を設ける。下容器１の嵌合受け部６の内側に上容器２の嵌合部８を挿入嵌合して係合受け突部７に係合突部９を係合する。【選択図】      図１
2004189337.tif 000002
【特許請求の範囲】
【請求項１】
上容器と下容器とを一側端縁間に設けたヒンジ部で開閉自在に連結した包装用容器において、下容器の外周上端縁に全周に亘って嵌合受け部を形成し、嵌合受け部の内周面を外方へ向けて斜め上方に傾斜する傾斜面に形成すると共にこの傾斜面に内方へ突出する係合受け突部を設け、上容器の外周下端縁に全周に亘って嵌合部を形成し、嵌合部の外周面を外方へ向けて斜め上方に傾斜する傾斜面に形成すると共にこの傾斜面に外方へ突出する係合突部を設け、下容器の嵌合受け部の内側に上容器の嵌合部を脱着自在に挿入嵌合して係合受け突部に係合突部を脱着自在に係合して成ることを特徴とする包装用容器。
【請求項２】
下容器を包装物の下部を収める上向き開口の下部収容凹部を設けて形成すると共に、上容器を包装物の上部を収める下向き開口の上部収容凹部を設けて形成して成ることを特徴とする請求項１に記載の包装用容器。
【請求項３】
下容器のコーナー部を除く箇所において嵌合受け部に係合受け突部を周方向に沿って設け、上容器のコーナー部を除く箇所において嵌合部に係合突部を周方向に沿って設けて成ることを特徴とする請求項１又は２に記載の包装用容器。
【請求項４】
上容器の外面にラベルを貼ると共にラベルの下部を下容器の嵌合部の外面に貼って成ることを特徴とする請求項１乃至３のいずれかに記載の包装用容器。
【発明の詳細な説明】
【０００１】
【発明の属する技術分野】
本発明は、卵その他の各種の食品など、包装物をパックして販売・保管するために用いられる包装用容器に関するものである。
【０００２】
【従来の技術】
食品などの包装物をパックする包装用容器、例えば卵をパックする卵容器として、従来から特許文献１、特許文献２、特許文献３などにみられるように各種のものが提供されている。
【０００３】
従来の卵容器の一例として特許文献２において提供されているものを図８に示すが、卵容器は一般的に、卵の下部を収める下容器１と、卵の上部を収める上容器２とをヒンジ部３で開閉自在に連結して形成されている。そして、下容器１と上容器２の一方に係合用の凸部１５を、他方に係合用の穴１６を設け、下容器１に卵を収容した後に、ヒンジ部３を屈曲させて下容器１の上に上容器２を重ね、係合用の凸部１５と穴１６とをはめ込んで係合させることによって、下容器１に上容器２を被せた状態で両容器１，２を結合することができるようにしてある。
【０００４】
【特許文献１】
特開平７−３１５４６６号公報
【特許文献２】
特開平１０−１２００５８号公報
【特許文献３】
実用新案登録第３０２５９３６号公報
【０００５】
【発明が解決しようとする課題】
しかし卵容器など包装用容器は、一般に薄い合成樹脂シートを真空成形することによって、下容器１と下容器２とをヒンジ部３を介して一体に形成してあり、全体が薄く形成されている。従って、ヒンジ部３を折り曲げて下容器１に上容器２を重ねるにあたって、全体がねじれたりし易いので、下容器１の上に少し位置ズレした状態で上容器２が重ね合わされることが多い。そしてこのように下容器１と上容器２が位置ズレしていると、係合用の凸部１５と穴１６が合致せず、両者を係合させることができない。
【０００６】
このために、係合用の凸部１５と穴１６とが合致するよう目で確認して位置合わせをしながら、ヒンジ部３を折り曲げて下容器１に上容器２を重ねるようにする必要があり、卵などの包装物を包装用容器に収容してパックする際の作業性に問題を有するものであった。特に自動化ラインでは作業者の目で確認しながら位置合わせをするようなことはできないので、包装用容器に包装物を自動的にパックする自動化ラインに適用することは難しいという問題があった。
【０００７】
本発明は上記の点に鑑みてなされたものであり、下容器と上容器が多少位置ズレしても、下容器に上容器を被せた状態に容易に結合することができ、包装物を収容してパックする際の作業性が向上する包装用容器を提供することを目的とするものである。
【０００８】
【課題を解決するための手段】
本発明の請求項１に係る包装用容器は、上容器２と下容器１とを一側端縁間に設けたヒンジ部３で開閉自在に連結した包装用容器において、下容器１の外周上端縁に全周に亘って嵌合受け部６を形成し、嵌合受け部６の内周面を外方に向けて斜め上方に傾斜する傾斜面６ａに形成すると共にこの傾斜面６ａに内方へ突出する係合受け突部７を設け、上容器２の外周下端縁に全周に亘って嵌合部８を形成し、嵌合部８の外周面を外方に向けて斜め上方に傾斜する傾斜面８ａに形成すると共にこの傾斜面８ａに外方へ突出する係合突部９を設け、下容器１の嵌合受け部６の内側に上容器２の嵌合部８を脱着自在に挿入嵌合して係合受け突部７に係合突部９を脱着自在に係合して成ることを特徴とするものである。
【０００９】
また請求項２の発明は、請求項１において、下容器１を包装物の下部を収める上向き開口の下部収容凹部４を設けて形成すると共に、上容器を包装物の上部を収める下向き開口の上部収容凹部５を設けて形成して成ることを特徴とするものである。
【００１０】
また請求項３の発明は、請求項１又は２において、下容器１のコーナー部を除く箇所において嵌合受け部６に係合受け突部７を周方向に沿って設け、上容器２のコーナー部を除く箇所において嵌合部８に係合突部９を周方向に沿って設けて成ることを特徴とするものである。
【００１１】
また請求項４の発明は、請求項１乃至３のいずれかにおいて、上容器１の外面にラベル１０を貼ると共にラベル１０の下部を下容器の嵌合部８の外面に貼って成ることを特徴とするものである。
【００１２】
【発明の実施の形態】
以下、本発明の実施の形態を説明する。尚、以下において「上」や「下」の位置関係は、下容器１の上に上容器２を重ねて被せた状態での上下の位置関係をいう。
【００１３】
図１乃至図５は包装用容器の一例として卵容器を示すものである。図２は包装用容器を開いた状態を示すものであり、ＰＶＣ、ＰＳ、ＰＥＴなどの薄い熱可塑性合成樹脂シートを真空成形等することによって、包装用容器はこの図２の形態のように下容器１と下容器２をヒンジ部３を介して一体に形成してある。
【００１４】
下容器１は卵の下部を収める下部収容凹部４を設けて形成してあり、下部収容凹部４は卵を一個ずつ離間させた状態で収めることができるように独立して複数設けてある。下部収容凹部４の間には下部仕切り支柱１８が設けてあり、下部仕切り支柱１８の上端面に凹部１９が形成してある。
【００１５】
また下容器１は平面形状が矩形に形成されるものであり、四周の外周の上端縁を全周に亘って嵌合受け部６として形成してある。嵌合受け部６は内周側の内側片２０と、内側片２０の上端から外側に下方へ折り返して延設した外側片２１から形成されるものであり、内側片２０の内面は外方に向けて斜め上方に傾斜する傾斜面６ａとして形成してある。そしてこの傾斜面６ａには内方へ突出する係合受け突部７が設けてある。この係合受け突部７は内側片２０の一部を断面半円弧状に突曲させることによって形成されるものであり、下容器１の四辺の各辺において設けてある。またこの係合受け突部７は、下容器１の四隅のコーナー部を除いて各辺の直線部分に、周方向に沿った長い線状に形成されるものである。
【００１６】
上容器２は卵の上部を収める上部収容凹部５を設けて形成してあり、この上部収容凹部５は上容器２内で複数に独立させることなく連続した一つのものとして形成してある。上部収容凹部５の中央部には下容器１の上記の下部仕切り支柱１８と対応する箇所において上部仕切り支柱２２が設けてあり、上部仕切り支柱２２の下端面に凸部２３が形成してある。
【００１７】
また上容器２は平面形状が矩形に形成されるものであり、四周の外周の下端縁を全周に亘って嵌合部８として形成してある。嵌合部８は上容器２の外周下端に上方へ折り返して設けた折り返し片２４によって形成されるものであり、この折り返し片２４の外面は外方に向けて斜め上方に傾斜する傾斜面８ａとして形成してある。この傾斜面８ａの傾斜角度と上記の下容器２の嵌合受け部６の傾斜面６ａの傾斜角度は、ほぼ同角度に設定してある。そしてこの傾斜面８ａには外方へ突出する係合突部９が設けてある。この係合突部９は折り返し片２４の一部を断面半円弧状に突曲させることによって形成されるものであり、上容器２の四辺の各辺において設けてある。またこの係合突部９は、上容器２の四隅のコーナー部を除いて各辺の直線部分に、周方向に沿った長い線状に形成されるものである。
【００１８】
そしてヒンジ部３は、下容器１の一側端縁における嵌合受け部６の外側片２１の先端と、上容器２の一側端縁における嵌合部８の折り返し片２４の先端との間を連絡するように形成されているものである。
【００１９】
上記のように形成される本発明の包装用容器にあって、卵を収容してパックするにあたっては、まず下容器１の複数の各下部収容凹部４にそれぞれ卵の下部を入れ、次にヒンジ部３を折り曲げ、下容器１の上に上容器２を重ねて上容器２の上部収容凹部５に卵の上部を収める。そしてこのように下容器１の上に上容器２を重ねることによって、図１（ａ）（ｂ）のように下容器１の嵌合受け部６の内周に上容器２の嵌合部８が嵌り込み、図４のように嵌合受け部６の内面の係合受け突部７の下縁に嵌合部８の外面の係合突部９が係合されることによって、下容器１に上容器２を被せて下容器１と上容器２の間に卵をパックした状態で、下容器１と上容器２を結合することができるものである。またこのように下容器１に上容器２を被せたときには、下容器１の下部仕切り支柱１８の凹部１９に上容器２の上部仕切り支柱２２の凸部２３が嵌り込むようになっている。
【００２０】
ここで、ヒンジ部３を折り曲げて下容器１の上に上容器２を重ねるにあたって、全体がねじれたりして、下容器１への上容器２の重ね合わせ位置が多少ズレても、図５に示すように、下容器１の嵌合受け部６の傾斜面６ａの上端の位置よりも、上容器２の嵌合部８の傾斜面８ａの下端が内側にあれば、嵌合受け部６の傾斜面６ａに嵌合部８の傾斜面８ａがガイドされてイ矢印のようにスライドして、嵌合受け部６内に嵌合部８が嵌り込み、下容器１に対する上容器２の位置ズレがロ矢印で示すように解消されるものであり、図４のように嵌合受け部６の係合受け突部７に嵌合部８の係合突部９を確実に係合させることができるものである。従って、下容器１の上に上容器２を重ねて押し込むだけで、傾斜面６ａに対する傾斜面８ａのガイドで嵌合受け部６内に嵌合部８を嵌合させることができ、この嵌合に伴なって嵌合受け部６の係合受け突部７に嵌合部８の係合突部９を係合させることができるものである。この結果、従来のように目で確認して係合の位置合わせをするような必要がなくなり、卵を包装用容器に収容してパックする際の作業性が向上するものであり、また包装用容器に卵を自動的にパックする自動化ラインに適用することが容易になるものである。
【００２１】
また、係合受け突部７と係合突部９を係合させたり、係合を外したりする際には、下容器１や上容器２の係合受け突部７や係合突部９を設けた部分が弾性的に撓むことが必要である。そこで本発明では上記のように、係合受け突部７は下容器１のコーナー部を除く箇所において嵌合受け部６の直線部分に周方向に沿って設けてあり、係合突部９は上容器２のコーナー部を除く箇所において嵌合部８の直線部分に周方向に沿って設けてある。すなわち、下容器１の嵌合受け部６のコーナー部や上容器２の嵌合部８のコーナー部は内外方向への撓み変形が起こり難いので、これらのコーナー部に係合受け突部７や係合突部９を設けると、係合受け突部７と係合突部９を係合させることが難しくなり、また一旦係合すると係合受け突部７と係合突部９の係合を外すことが難しくなり、係合や係合の解除の作業性に問題がある。これに対して、下容器１の嵌合受け部６の直線部分や上容器２の嵌合部８の直線部分は内外方向への撓み変形が起こり易いので、これらの直線部分に係合受け突部７や係合突部９を設けることによって、係合受け突部７と係合突部９を係合させることが容易になり、また係合受け突部７と係合突部９の係合を外すことが容易になり、係合や係合の解除の作業性が良好になるのである。
【００２２】
しかも、係合受け突部７はコーナー部を除いて嵌合受け部６の直線部分に周方向に沿った長い線状に形成してあり、係合突部９はコーナー部を除いて嵌合部８の直線部分に周方向に沿った長い線状に形成してある。従って、係合受け突部７と係合突部９が位置ズレしていても、係合受け突部７と係合突部９は長手方向で必ず係合し合うようにすることができ、係合受け突部７と係合突部９を合致させるための位置合わせをする必要がなくなるものであり、しかも係合受け突部７と係合突部９は長い範囲で係合し合うものであって、係合の強度を確保することができるものである。
【００２３】
上記のように下容器１に上容器２を被せて下容器１と上容器２の間に卵をパックした後、上容器２の外面に図３に示すようにラベル１０を貼る。ラベル１０は商品表示などを印刷した粘着シートで形成されるものであり、ヒンジ部３と反対側の側端部の上面あるいは側面にラベル１０を貼り付けると共に、さらにラベル１０の下端縁を下容器１の嵌合受け部７の外側片２１の外面に貼り付けるようにしてある。このようにラベル１０を上容器２から下容器１に渡して貼り付けることによって、係合受け突部７と係合突部９の係合が外れても、下容器１に上容器２を閉じた状態を保持することができ、包装用容器が開くことを防ぐことができるものである。従って、特に、包装用容器に卵などの食品を包装して店頭に展示する場合に、包装用容器が開かれることを確実に防止して、食品の衛生状態を安全に保つことができるものである。ラベル１０は図３のようにその下端縁を下容器１の嵌合受け部７の外面に貼り付けるようにする他、ラベル１０の下部を嵌合受け部７の外面に貼り付けると共にさらにラベル１０の下端縁を下方へ伸ばしてした下容器１の外面にラベル１０の下端縁を貼り付けるようにしてもよい。
【００２４】
上記の実施の形態では、包装用容器として卵を包装する卵容器について説明したが、本発明はこのような卵容器に限定されるものではいのはいうまでもない。例えば、トマト、みかん、キンカン、シシトウ、カットスイカなどの果物・野菜類、惣菜、魚介類、和菓子、洋菓子などの各種の食品を包装する包装用容器であってもよく、また弁当の包装用容器であってもよい。さらに、包装用容器に包装する包装物としては、これらの食品に限られず、非食品であってもよいものであり、要するに包装物は特定のものに限定されないものである。
【００２５】
また、上記の実施の形態では、下容器１に卵などの包装物の下部を収める下部収容凹部４を設けると共に上容器２に卵などの包装物の上部を収める上部収容凹部５を設けることによって、包装用容器内を仕切り、包装用容器内に包装した包装物が移動して破損等することを防ぐようにしたが、特にこのような必要のない場合には、例えば図６及び図７の実施の形態に示すように、下容器１や上容器２として凹部を設けていないものを用いることができるものである。このように本発明は、下容器１や上容器２として特定の形態のものに限定されないものである。
【００２６】
【発明の効果】
上記のように本発明の請求項１に係る包装用容器は、上容器と下容器とを一側端縁間に設けたヒンジ部で開閉自在に連結した包装用容器において、下容器の外周上端縁に全周に亘って嵌合受け部を形成し、嵌合受け部の内周面を外方へ向けて斜め上方に傾斜する傾斜面に形成すると共にこの傾斜面に内方へ突出する係合受け突部を設け、上容器の外周下端縁に全周に亘って嵌合部を形成し、嵌合部の外周面を外方へ向けて斜め上方に傾斜する傾斜面に形成すると共にこの傾斜面に外方へ突出する係合突部を設け、下容器の嵌合受け部の内側に上容器の嵌合部を脱着自在に挿入嵌合して係合受け突部に係合突部を脱着自在に係合するようにしたので、ヒンジ部を折り曲げて下容器の上に上容器を重ねるにあたって、下容器への上容器の重ね合わせ位置が多少ズレても、嵌合受け部の傾斜面に嵌合部の傾斜面がガイドされて嵌合受け部に嵌合部が嵌合され、嵌合受け部の係合受け突部に嵌合部の係合突部を確実に係合させることができるものであり、下容器の上に上容器を重ねて押し込むだけで係合受け突部に係合突部を係合させて、下容器と上容器を結合することができるものである。この結果、係合の位置合わせを目で確認するような必要がなくなって、包装物を包装用容器に収容してパックする際の作業性が向上するものであり、また包装用容器に包装物を自動的にパックする自動化ラインに適用することが容易になるものである。
【００２７】
また請求項２の発明は、請求項１において、下容器を包装物の下部を収める上向き開口の下部収容凹部を設けて形成すると共に、上容器を包装物の上部を収める下向き開口の上部収容凹部を設けて形成するようにしたので、包装用容器内に包装した包装物を下部収容凹部と上部収容凹部に保持して固定することができ、包装物が包装用容器内を移動して破損等することを防ぐことができるものである。
【００２８】
また請求項３の発明は、請求項１又は２において、下容器のコーナー部を除く箇所において嵌合受け部に係合受け突部を周方向に沿って設け、上容器のコーナー部を除く箇所において係合突部を嵌合部に周方向に沿って設けるようにしたので、係合受け突部や係合突部は下容器や上容器の撓み易い箇所に設けられており、係合受け突部と係合突部の係合や係合の解除の作業性が向上するものである。
【００２９】
また請求項４の発明は、請求項１乃至３のいずれかにおいて、上容器の外面にラベルを貼ると共にラベルの下端縁を下容器の嵌合部の外面に貼るようにしたので、係合受け突部と係合突部の係合が外れても、下容器に上容器を閉じた状態をラベルで保持することができ、不用意に包装用容器が開くことを防ぐことができるものである。
【図面の簡単な説明】
【図１】本発明の実施の形態の一例を示すものであり、（ａ）は正面断面図、（ｂ）は側面断面図である。
【図２】同上の開いた状態の斜視図である。
【図３】同上の閉じたパック状態の斜視図である。
【図４】同上の一部の拡大した断面図である。
【図５】同上の一部の拡大した断面図である。
【図６】本発明の他の実施の形態の一例を示す、開いた状態の斜視図である。
【図７】同上の閉じたパック状態の斜視図である。
【図８】従来例の斜視図である。
【符号の説明】
１  下容器
２  上容器
３  ヒンジ部
４  下部収容凹部
５  上部収容凹部
６  嵌合受け部
６ａ  傾斜面
７  係合受け突部
８  嵌合部
８ａ  傾斜面
９  係合突部
１０  ラベル
【図１】
2004189337.tif 000003
【図２】
2004189337.tif 000004
【図３】
2004189337.tif 000005
【図４】
2004189337.tif 000006
【図５】
2004189337.tif 000007
【図６】
2004189337.tif 000008
【図７】
2004189337.tif 000009
【図８】
2004189337.tif 000010